(57)【要約】【課題】  大電流のモータ駆動回路等でも転移による固定接点の摩耗を抑制可能とする。【解決手段】  プリント回路基板１にパターン形成されたプラス側及びマイナス側の各固定接点３，５，７，９と、各固定接点３，５，７，９に対応する各接点部１５，１７，１９，２１が接触移動し各固定接点３，５，７，９間を導通接続する可動接点１１，１３とを備えたスイッチにおいて、プラス側の固定接点３及び対応する接点部１５がマイナス側の固定接点９及び対応する接点部２１よりも先に接触するように形成したことを特徴とする。【選択図】  図１
2008053153.tif 000002
【特許請求の範囲】
【請求項１】
プリント回路基板にパターン形成されたプラス側及びマイナス側の各固定接点と、
前記各固定接点に対応する各接点部が接触移動し各固定接点間を導通接続する可動接点とを備えたスイッチにおいて、
前記プラス側の固定接点及び前記対応する接点部がマイナス側の固定接点及び前記対応する接点部よりも先に接触するように形成した
ことを特徴とするスイッチの接点構造。
【請求項２】
請求項１記載のスイッチの接点構造であって、
前記各接点部は、前記プリント回路基板上を摺動して各固定接点に対し乗り上げ接触可能であり、
前記プラス側の固定接点の接触開始位置が、前記マイナス側の固定接点の接触開始位置よりも前記対応する接点部に対して相対的に近くなるように形成された
ことを特徴とするスイッチの接点構造。
【請求項３】
請求項１又は２記載のスイッチの接点構造であって、
前記固定接点及び可動接点は、電動モータを駆動するためのモーター駆動回路を構成する
ことを特徴とするスイッチの接点構造。
【発明の詳細な説明】
【技術分野】
【０００１】
本発明は、自動車のコンビネーション・スイッチで操作するワイパー・ウオッシャーのモーター駆動回路等に適用するスイッチの接点構造に関する。
【背景技術】
【０００２】
従来のこの種のスイッチの接点構造としては、例えば図４に示すものがある。図４は、電動モータを駆動するためのモーター駆動回路を構成する固定接点及び可動接点の概略平面図である。
【０００３】
図４のように、モーター駆動回路は、プリント回路基板上にプラス側及びマイナス側の各固定接点１０１，１０３，１０５，１０７がプリントにより薄くパターン形成されている。各固定接点１０１，１０３，１０５，１０７に対して可動接点１０９，１１１の対応する各接点部１１３，１１５，１１７，１１９（通常上記パターンよりも厚みが厚い）が摺動により乗り上げ接触可能に配置されている。各固定接点１０１，１０３，１０５，１０７は、電動モータ１２１に対して回路構成されている。これら各固定接点１０１，１０３，１０５，１０７及び可動接点１０９，１１１は、例えばステアリング・コラムのコンビネーション・スイッチに設けられている。
【０００４】
従って、コンビネーション・スイッチの操作により可動接点１０９，１１１が移動すると各接点部１１３，１１５，１１７，１１９がプリント回路基板上を
摺動し、固定接点１０１，１０３，１０５，１０７に対して乗り上げ接触する。各接点部１１３，１１５，１１７，１１９が対応する固定接点１０１，１０３，１０５，１０７に接触するとモーター駆動回路が閉じられ、電動モータ１２１が回転駆動される。
【０００５】
しかし、上記の構造では、各接点部１１３，１１５，１１７，１１９が各固定接点１０１，１０３，１０５，１０７に接触し始める接触開始位置が一直線状に並ぶように設定されているため、製造誤差などにより各固定接点１０１，１０３，１０５，１０７の接触開始位置にばらつきがあると、金属の転移による不具合を招く恐れがある。
【０００６】
すなわち、前記接触開始位置のばらつきがあると、各接点部１１３，１１５，１１７，１１９の各固定接点１０１，１０３，１０５，１０７に対する接触開始のタイミングがずれ、各接点部１１３，１１５，１１７，１１９及び各固定接点１０１，１０３，１０５，１０７間の金属の転移の仕方が安定しなくなる。
【０００７】
ここで、転移とは、大電流のモータ駆動回路等において、接点の切り替えを行う際にアークが発生して熱を持つため、プラス側の金属が溶けてマイナス側の金属に付着する現象である。
【０００８】
この転移がプラス側となる固定接点１０１とマイナス側となる接点部１１３間で起こると、固定接点１０１の金属が溶けて接点部１１３に付着し、剥げてしまうという問題がある。
【０００９】
図５は、各固定接点１０１，１０３，１０５，１０７の接触開始位置のばらつきを誇張して示したものであり、（ａ）は、一部が接触開始した状態の固定接点及び可動接点の概略平面図、（ｂ）は、その他が接触開始した状態の固定接点及び可動接点の概略平面図である。
【００１０】
図５（ａ）のように固定接点１０１，１０３，１０５，１０７の接触開始位置にばらつきがあると、マイナス側の固定接点１０７に可動接点１１１の接点部１１９が最初に接触を開始する。この接触により可動接点１１１がマイナスの電気を帯びる。この状態で可動接点１０９，１１１がさらに移動し、図５（ｂ）のように接点部１１７が固定接点１０５に乗り上げると、可動接点１１１がマイナスの電気を帯びているため固定接点１０５，１０３を通じて他方の可動接点１０９もマイナスの電気を帯びる。
【００１１】
このため、可動接点１０９の接点部１１３が固定接点１０１に乗り上げるときは、プラス側の固定接点１０１とマイナスの電気を帯びている接点部１１３間の転移により、固定接点１０１の金属が剥げて接点部１１３に付着することになる。
【００１２】
従って、プリントによりパターン形成された固定接点１０１は、厚みが薄く摩耗が進行し、スイッチの耐久性が損なわれるという問題がある。
【００１３】
【特許文献１】特開２０００−１１３７７６号
【発明の開示】
【発明が解決しようとする課題】
【００１４】
解決しようとする問題点は、大電流のモータ駆動回路等において、接点の切り替えを行う際の転移により固定接点の摩耗が進行し、スイッチの耐久性が損なわれるという点である。
【課題を解決するための手段】
【００１５】
本発明は、大電流のモータ駆動回路等でも転移による固定接点の摩耗を抑制可能とするため、プリント回路基板にパターン形成されたプラス側及びマイナス側の各固定接点と、前記各固定接点に対して対応する各接点部が接触移動し各固定接点間を導通接続する可動接点とを備えたスイッチにおいて、前記プラス側の固定接点及び前記対応する接点部がマイナス側の固定接点及び前記対応する接点部よりも先に接触するように形成したことを最も主要な特徴とする。
【発明の効果】
【００１６】
本発明のスイッチの接点構造は、プリント回路基板にパターン形成されたプラス側及びマイナス側の各固定接点と、前記各固定接点に対して対応する各接点部が接触移動し各固定接点間を導通接続する可動接点とを備えたスイッチにおいて、前記プラス側の固定接点及び前記対応する接点部がマイナス側の固定接点及び前記対応する接点部よりも先に接触するように形成したため、マイナス側の固定接点に対応する接点部が、固定接点に乗り上げるときプラスの電気を帯びており、マイナス側の固定接点及び対応する接点部が接触するときに転移があってもプラスの電気を帯びた厚みの厚い接点部の金属がマイナス側の固定接点の金属に転移することになり、転移による固定接点の摩耗を抑制することができる。
【発明を実施するための最良の形態】
【００１７】
大電流のモータ駆動回路等でも転移による固定接点の摩耗を抑制可能とするという目的を、固定接点に対する可動接点の接触の先後を設定することで実現した。
【実施例１】
【００１８】
［スイッチの接点構造］
図１は、本発明の実施例１を適用したモーター駆動回路を構成する固定接点及び可動接点の斜視図、図２は、接続状態を示す図表である。
【００１９】
図１のスイッチは、例えば、自動車のコンビネーション・スイッチで操作するワイパー・ウオッシャーのモーター駆動回路に適用するスイッチの接点構造であり、モーター駆動回路は、プリント回路基板１上にプラス側及びマイナス側の各固定接点３，５，７，９がプリントにより薄くパターン形成されている。
固定接点３，５，７，９の導通により後述する電動モータが例えば正転駆動する。
【００２０】
前記固定接点３，５，７，９に対して可動接点１１，１３が配置されている。可動接点１１，１３には、上記パターンよりも厚みが厚い接点部１５，１７，１９，２１が設けられている。可動接点１１，１３は、プリント回路基板１上を摺動して接触移動し、接点部１５，１７，１９，２１が対応する各固定接点３，５，７，９に乗り上げ接触し、図２のように導通接続する。
【００２１】
［導通作用］
コンビネーション・スイッチの操作により可動接点１１，１３が移動し、接点部１５，１７，１９，２１が対応する固定接点３，５，７，９に接触すると、図２のように、プラス側の固定接点３、可動接点１１、固定接点５、電動モータ２３、固定接点７、可動接点１３、固定接点９の順に電流が流れ、電動モータ２３が駆動される。
【００２２】
図３は、各固定接点３，５，７，９と可動接点１１，１３との接触動作の状態を示し、（ａ）は、一部が接触開始した状態の固定接点及び可動接点の概略平面図、（ｂ）は、その他が接触開始した状態の固定接点及び可動接点の概略平面図である。
可動接点１１，１３が移動すると、図３（ａ）のように、最初にプラス側の固定接点３に可動接点１１の接点部１５が乗り上げて接触を開始する。この接触により可動接点１１がプラスの電気を帯びる。可動接点１１，１３がさらに移動し、図３（ｂ）のように接点部１７が、固定接点５に乗り上げると可動接点１１がプラスの電気を帯びているため固定接点５，７を通じて他方の可動接点１３もプラスの電気を帯びる。
【００２３】
このため、可動接点１３の接点部２１が固定接点９に乗り上げるときは、マイナス側の固定接点９とプラスの電気を帯びている接点部２１間の転移により、厚みの厚い接点部２１の金属が剥げて固定接点９に付着することになる。
【００２４】
従って、転移による固定接点９の摩耗を抑制し、円滑な接続を長く維持することができる。
【００２５】
［実施例１の効果］
本発明実施例１のスイッチの接点構造は、プリント回路基板１にパターン形成されたプラス側及びマイナス側の各固定接点３，５，７，９と、前記各固定接点３，５，７，９に対応する各接点部１５，１７，１９，２１が接触移動し各固定接点３，５，７，９間を導通接続する可動接点１１，１３とを備えたスイッチにおいて、前記プラス側の固定接点３及び前記対応する接点部１５がマイナス側の固定接点９及び前記対応する接点部２１よりも先に接触するように形成したため、マイナス側の固定接点９に対応する接点部２１が、固定接点９に乗り上げるときプラスの電気を帯びており、マイナス側の固定接点９及び対応する接点部２１が接触するときに転移があってもプラスの電気を帯びた厚みの厚い接点部２１の金属がマイナス側の固定接点９の金属に転移することになり、厚みの薄い固定接点９の転移による摩耗を抑制することができる。  
前記各接点部１５，１７，１９，２１は、前記プリント回路基板１上を摺動して各固定接点３，５，７，９に対し接触移動し、前記プラス側の固定接点３の接触開始位置が、前記マイナス側の固定接点９の接触開始位置よりも前記接点部１５，２１に対して相対的に近くなるように形成されたため、厚みの薄い固定接点９の転移による摩耗を確実に抑制することができる。
【００２６】
前記固定接点３，５，７，９及び可動接点１１，１３は、電動モータ２３を駆動するためのモーター駆動回路を構成するため、大電流が流れるモーター駆動回路において、厚みの薄い固定接点９の転移による摩耗を確実に抑制することができる。
【図面の簡単な説明】
【００２７】
【図１】モーター駆動回路を構成する固定接点及び可動接点の斜視図である（実施例１）。
【図２】接続状態を示す図表である（実施例１）。
【図３】（ａ）は、一部が接触開始した状態の固定接点及び可動接点の概略平面図、（ｂ）は、全てが接触開始した状態の固定接点及び可動接点の概略平面図である（実施例１）。
【図４】電動モータを駆動するためのモーター駆動回路を構成する固定接点及び可動接点の概略平面図である（従来例）。
【図５】（ａ）は、一部が接触開始した状態の固定接点及び可動接点の概略平面図、（ｂ）は、その他が接触開始した状態の固定接点及び可動接点の概略平面図である（従来例）。
【符号の説明】
【００２８】
１  プリント回路基板
３，５，７，９  固定接点
１１，１３  可動接点
１５，１７，１９，２１  接点部
２３  電動モータ
【図１】
2008053153.tif 000003
【図２】
2008053153.tif 000004
【図３】
2008053153.tif 000005
【図４】
2008053153.tif 000006
【図５】
2008053153.tif 000007